(57)【要約】【課題】靴の踵部材の上縁を保護する。【解決手段】靴Ａの踵部材Ｂの上縁内側に装着可能な板材２の靴Ａの内側へ向いた正面３を低摩擦面に形成する。板材２は合成樹脂板により可撓性に形成する。板材２の上部を外側に折り返して踵部材Ｂの上縁を覆うように嵌合可能な嵌合部21を設ける。可撓性の板材２は靴Ａの踵部材Ｂの上縁内側に沿って変形でき、踵部材Ｂを保護できる。また靴Ａに対して板材２を一体的に設けることで靴べらのような引っ掛かり感がなく足（図示せず）を靴Ａに挿入することができる。嵌合部21を設けたことにより、踵用装着具１を踵部材Ｂの上縁内側に使い捨て可能なように簡単に取り付けることができる。しかも、折り返された嵌合部21がリブ状となって板材２を補強でき、靴Ａの踵部材Ｂの上縁内側の保護をいっそう向上することができる。【選択図】図７
0003133669.tif 000002
【実用新案登録請求の範囲】
【請求項１】
靴の踵部材の上縁内側に装着可能な可撓性の板材における前記靴の内側へ向いた正面を平らな面に形成することを特徴とする靴の踵用装着具。
【請求項２】
前記板材の上部を外側に折り曲げて前記上縁に係止可能な係止部を設けたことを特徴とする請求項１記載の靴の踵用装着具。
【請求項３】
前記板材の上部を外側に折り返して前記上縁に嵌合可能な嵌合部を設けたことを特徴とする請求項１又は２記載の靴の踵用装着具。
【請求項４】
前記板材は縦幅よりも横幅が大きく形成されたことを特徴とする請求項１〜３のいずれか１項に記載の靴の踵用装着具。
【請求項５】
前記板材の前記正面は、板材上縁がほぼ水平に形成されており、前記板材上縁の第１の両端に板材下縁の第２の両端が接続すると共に、該板材下縁の中央は前記第１の両端より次第に下方へ突設していることを特徴とする請求項１〜４のいずれか１項に記載の靴の踵用装着具。
【請求項６】
前記板材の平面は、中央部が凹状に形成されていることを特徴とする請求項１〜５のいずれか１項に記載の靴の踵用装着具
【請求項７】
前記正面は平らな合成樹脂面により形成されることを特徴とする請求項１〜６のいずれか１項に記載の靴の踵用装着具。
【請求項８】
前記板材は合成樹脂製であることを特徴とする請求項１〜７のいずれか１項に記載の靴の踵用装着具。
【考案の詳細な説明】
【技術分野】
【０００１】
本考案は、靴べらを使用しなくとも足を靴に簡単に挿入できる靴の踵用装着具に関するものである。
【背景技術】
【０００２】
従来、足を靴に挿入するときに、足の滑りをよくするために靴べらが使用されている。靴べらとしては、例えば足当て部に押え部を設け、それに引っ張り部を取り付けた超小型靴べらなどが知られている（例えば、特許文献１）。
【特許文献１】実開平５−４１４８１号公報
【考案の開示】
【考案が解決しようとする課題】
【０００３】
しかし、靴べらは靴とは別途に使用するものであるので、靴、さらには靴の後部に配置される踵（かかと）部材の上縁内側との一体感にかけ、足を靴に挿入するときに引っ掛かりが生じてしまうことが懸念される。
【０００４】
解決しようとする問題点は、靴の踵部材の保護を図ると共に、足を靴に挿入するときに引っ掛かりが生ずることがないようにする点である。
【課題を解決するための手段】
【０００５】
請求項１の考案は、靴の踵部材の上縁内側に装着可能な可撓性の板材における前記靴の内側へ向いた正面を平らな面に形成することを特徴とする靴の踵用装着具である。
【０００６】
請求項２の考案は、前記板材の上部を外側に折り曲げて前記上縁に係止可能な係止部を設けたことを特徴とする請求項１記載の靴の踵用装着具である。
【０００７】
請求項３の考案は、前記板材の上部を外側に折り返して前記上縁に嵌合可能な嵌合部を設けたことを特徴とする請求項１又は２記載の靴の踵用装着具である。
【０００８】
請求項４の考案は、前記板材は縦幅よりも横幅が大きく形成されたことを特徴とする請求項１〜３のいずれか１項に記載の靴の踵用装着具である。
【０００９】
請求項５の考案は、前記板材の前記正面は、板材上縁がほぼ水平に形成されており、前記板材上縁の第１の両端に板材下縁の第２の両端が接続すると共に、該板材下縁の中央は前記第１の両端より次第に下方へ突設していることを特徴とする請求項１〜４のいずれか１項に記載の靴の踵用装着具である。
【００１０】
請求項６の考案は、前記板材の平面は、中央部が凹状に形成されていることを特徴とする請求項１〜５のいずれか１項に記載の靴の踵用装着具である。
【００１１】
請求項７の考案は、前記正面は平らな合成樹脂面により形成されることを特徴とする請求項１〜６のいずれか１項に記載の靴の踵用装着具である。
【００１２】
請求項８の考案は、前記板材は合成樹脂製であることを特徴とする請求項１〜７のいずれか１項に記載の靴の踵用装着具である。
【考案の効果】
【００１３】
請求項１の考案によれば、可撓性の板材は靴の踵部材の上縁内側に沿って変形することで靴に対して板材を一体的に設けると共に、板材の正面は凹凸のない平らな面により形成されていることで靴べらのような引っ掛かり感がなく足を靴に挿入することができ、しかも可撓性の板材によって靴の踵部材の上縁内側を保護することができる。
【００１４】
請求項２の考案によれば、踵部材の上縁に係止部を介して踵用装着具を着脱自在に取り付け、使い捨て可能なように簡単に取り付けることができると共に、折り曲げられた係止部がリブ状となって板材を補強でき、靴の踵部材の上縁の保護を向上することができる。
【００１５】
請求項３の考案によれば、踵部材の上縁に嵌合部を介して踵用装着具を着脱自在に取り付け、使い捨て可能なように簡単に取り付けることができると共に、安定感よく取り付けできると共に、折り返された嵌合部が板材にリブ状となって板材を補強でき、靴の踵部材の上縁の保護をいっそう向上することができる。
【００１６】
請求項４の考案によれば、靴の踵用装着具により踵部材まわりを比較的幅広く保護することができる。
【００１７】
請求項５の考案によれば、足を挿入したとき、足と靴との接触面積が次第に小さくなり、スムースな足の挿入を行うことができる。
【００１８】
請求項６の考案によれば、踵部材の内側に配置された状態で板材は平面が円弧状な靴の踵部材部分となじみやすくなる。
【００１９】
請求項７の考案によれば、足との接触摩擦を低減でき、スムースに足を挿入することができる。
【００２０】
請求項８の考案によれば、合成樹脂で成形することで安価に提供することができる。
【考案を実施するための最良の形態】
【００２１】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２２】
図１〜３は実施例１を示しており、足（図示せず）の裏の後部に対応する靴Ａの踵部材Ｂは靴底Ｃより立ち上がって形成されている。靴の踵用装着具１は、踵部材Ｂの上縁内側に装着可能な板材２からなり、この板材２は例えば薄い合成樹脂製板によって形成されている。そして、この合成樹脂からなる板材２の靴Ａの内側へ向いた正面３は凹凸のない平らな低摩擦面に形成されているので、靴下を履いた足（図示せず）や素足が靴Ａの内側に挿入しやすいように形成されている。
【００２３】
前記板材２は、縦幅Ｘよりも横幅Ｙが大きく形成されて、その靴Ａ内側に対向する正面３は、板材上縁４がほぼ水平に形成されており、板材上縁４の第１の両端４Ａに板材下縁５の第２の両端５Ａが接続すると共に、板材下縁５の中央は第１の両端４Ａより次第に円弧状となって下方へ突設している。また、板材２の正面３の平面は、図１のように中央部が凹状になるように円弧状に形成されている。
【００２４】
次に前記構成についてその作用を説明する。靴の踵用装着具１を踵部材Ｂの上縁内側に装着するには、例えば板材２の外面に両面粘着テープ（図示せず）を設けて、上縁内側に貼り付けたり、或いは接着剤を用いて固定する。そして、足（図示せず）を靴Ａに挿入すると足（図示せず）は低摩擦面に形成されている正面３に沿って滑り落ちてスムースに挿入することができる。
【００２５】
以上のように、前記実施例では請求項１に対応して、可撓性の板材２は靴Ａの踵部材Ｂの上縁内側に沿って変形でき、そして靴Ａの踵部材Ｂの上縁内側に装着可能な板材２の靴Ａの内側へ向いた正面３を凹凸のない平らな面によって低摩擦面に形成されることにより、靴Ａに対して板材２を一体的に設けることで靴べらのような引っ掛かり感がなく足（図示せず）を靴Ａに挿入することができる。また、板材２は可撓性であるので、足（図示せず）を靴Ａに挿入したとき多少無理な力が加わったとしても、板材２が変形することでこれを吸収して足（図示せず）に無理な力が加わるようなことがなくなると共に、板材２が踵部材Ｂの形状に添うように変形しやすく、この結果靴Ａと足（図示せず）とがなじみやくなる。また、可撓性の板材２によって靴Ａの踵部材Ｂの上縁内側を保護することができる。
【００２６】
また、請求項４に対応して、板材２は縦幅Ｘよりも横幅Ｙが大きく形成されたことにより、靴の踵用装着具１が横長形状となり、この結果踵部材Ｂまわりを比較的幅広く保護することができる。
【００２７】
さらに、請求項５に対応して、板材２の正面３は、板材上縁４がほぼ水平に形成されており、板材上縁４の第１の両端４Ａに板材下縁５の第２の両端５Ａが接続すると共に、該板材下縁５の中央は第１の両端４Ａより次第に下方へ突設していることにより、正面３においてその中央の縦向き長さが他の箇所の縦向き長さよりも長くなるので、足（図示せず）を靴Ａに挿入するとき、はじめは上部の幅広な箇所から次第に幅が狭くなる下部の箇所に案内されることとなるので、足（図示せず）と靴Ａとの接触面積が次第に小さくなり、スムースな足（図示せず）の挿入を行うことができる。
【００２８】
また、請求項６に対応して、踵部材Ｂの内側に配置された状態板材２の平面は、中央部が凹状に形成されていることにより、平面が円弧状な靴Ａの踵部材Ｂとなじみやすくなり、履き心地を向上できる。
【００２９】
さらに、請求項７に対応して、正面３の低摩擦面は平らな合成樹脂面により形成されていることにより、足（図示せず）との接触摩擦を低減でき、スムースに足（図示せず）を挿入することが可能となる。
【００３０】
また、請求項８に対応して、板材２などを合成樹脂で成形することで安価に提供することができる。
【実施例２】
【００３１】
次に他の実施例について説明する。尚、前記実施例１と同一部分には同一符号を付し、その詳細な説明を省略する。
【００３２】
図４〜６に示した実施例２においては、板材２の上部を外側に折り曲げて踵部材Ｂの上縁に係止可能な係止部11を設けたものである。この係止部11は、板材２の上縁より後ろ向きにやや突設して形成したものである。したがって、靴の踵用装着具１を靴Ａに装着するときは、板材２を踵部材Ｂの内側に挿入すると共に、逆Ｌ字型の係止部11の上部を踵部材Ｂの上縁に係止することで踵部材Ｂの上縁の表面に取り付けられる。この係止部11は板材２に対してリブ状となって補強作用をなす。そして、この状態で足（図示せず）を正面３に滑らせて挿入するものである。
【００３３】
以上のように、前記実施例においては前記実施例１の作用効果の他に、請求項２に対応して、板材２の上部を外側に折り曲げて上縁に係止可能な係止部11を設けたことにより、靴の踵用装着具１を踵部材Ｂの上縁内側に着脱自在となって使い捨て可能なように簡単に取り付けることができる。さらに、係止部11は踵部材Ｂの上縁の表面に取り付けられるので、踵部材Ｂの内側のみならず上縁も保護できる。しかも、折り曲げられた係止部11がリブ状となって板材２を補強でき、靴Ａの踵部材Ｂの上縁内側の保護を向上することができる。
【実施例３】
【００３４】
図７〜９に示した実施例３においては、板材２の上部を外側に折り返して踵部材Ｂの上縁を覆うように嵌合（かんごう）可能な嵌合部21を設けたものである。この嵌合部21は板材２の上端に踵部材Ｂの上縁に係止する係止部11を後ろ向きに突設し、この係止部11の後端に下向き部22を連設したものである。したがって、靴の踵用装着具１を靴Ａに装着するときは、板材２を踵部材Ｂの内側に挿入すると共に、逆Ｕ字型の嵌合部21を踵部材Ｂの上縁に嵌合することで踵部材Ｂの上縁さらには後側の表面に取り付けする。そして、この状態で足（図示せず）を正面３に滑らせて挿入するものである。
【００３５】
以上のように、前記実施例においては前記実施例１の作用効果の他に、請求項３に対応して、板材２の上部を外側に折り返して上縁に嵌合可能な嵌合部21を設けたことにより、靴の踵用装着具１を踵部材Ｂの上縁内側に使い捨て可能なように簡単に取り付けることができると共に、靴の踵用装着具１は踵部材Ｂより外れにくく安心して足（図示せず）を挿入することができる。さらに、嵌合部21は踵部材Ｂの上縁及びその後側の表面に取り付けられるので、踵部材Ｂの内側のみならず上縁及びその外側も保護できる。しかも、折り返された嵌合部21がリブ状となって板材２を補強でき、靴Ａの踵部材Ｂの上縁内側の保護をいっそう向上することができる。
【産業上の利用可能性】
【００３６】
以上のように本考案にかかる靴の踵用装着具は、各種の用途に適用できる。
【図面の簡単な説明】
【００３７】
【図１】本考案の実施例１を示す斜視図である。
【図２】同断面図である。
【図３】同正面図である。
【図４】本考案の実施例２を示す斜視図である。
【図５】同断面図である。
【図６】同正面図である。
【図７】本考案の実施例３を示す斜視図である。
【図８】同断面図である。
【図９】同正面図である。
【符号の説明】
【００３８】
１  装着具
２  板材
３  正面
４  板材上縁
４Ａ  第１の両端
５  板材下縁
５Ａ  第２の両端
11  係止部
21  嵌合部
Ａ  靴
Ｂ  踵部材
Ｘ  縦幅
Ｙ  横幅
【図１】
0003133669.tif 000003
【図２】
0003133669.tif 000004
【図３】
0003133669.tif 000005
【図４】
0003133669.tif 000006
【図５】
0003133669.tif 000007
【図６】
0003133669.tif 000008
【図７】
0003133669.tif 000009
【図８】
0003133669.tif 000010
【図９】
0003133669.tif 000011